(57)【要約】【課題】  絵、写真などの作品を水平な状態で停止・掲示することが容易にでき、また支持具が作品によって隠されて鑑賞者の視界に入らず、さらに複数の支持体（釘など）を使用することによって任意の角度で作品を停止・掲示することが可能な支持具及び壁掛けフレームを提供する。【解決手段】  壁掛け支持具１０は、円形の開口部１１を有する平面部１２と、第１の脚部１３と、第２の脚部１４と、を備える。【選択図】  図１
2013039291.tif 000002
【特許請求の範囲】
【請求項１】
円形の開口部を有する平面部と、
第１の脚部と、
第２の脚部と、
を備え、
第１の脚部の高さと第２の脚部の高さとがほぼ等しい、ことを特徴とする壁掛け支持具。
【請求項２】
第１のパネルと、
請求項１に記載の壁掛け支持具が背面に取り付けられた第２のパネルと、
を備え、
第１のパネルと第２のパネルとが着脱可能である、ことを特徴とする壁掛けフレーム。
【発明の詳細な説明】
【技術分野】
【０００１】
本発明は、壁掛け支持具及び壁掛けフレームに関する。
【背景技術】
【０００２】
絵画や写真等の壁面への取り付け手段として一般的に額縁が使用されている。例えば、特許文献１に開示されるように、絵画や写真等は額縁と裏板の間に挟持されると共に、額縁自体は裏面に取り付けた吊り紐を壁面の止め具等に引っ掛けて取り付けされるようになっている。
従来は、液晶パネルなど器具に依存した固有の取り付け具を用いる場合を除き、額装やフレームなどを壁に固定する際は下記のような方法が主に用いられる。
ａ）紐５１１，５１２により張力を利用して壁にかける（図５（ａ））。
ｂ）ピクチャーレール５２１などを用い紐またはピアノ線５２２などで吊るす（図５（ｂ））。
ｃ）壁面に直接アクリルフレーム５３１などを固定する（図５（ｃ））。
ｄ）壁面に釘などで引っかかり５４１を作りパネル５４２の裏面を直接引っかかりにかける（図５（ｄ））。
ｅ）パネル背面に引っ掛け具５５１を取り付け、壁面にｄ）と同様な方法でかける（図５（ｅ））。
【先行技術文献】
【特許文献】
【０００３】
【特許文献１】特開２００４−２３０１８６号公報
【発明の概要】
【発明が解決しようとする課題】
【０００４】
従来の取り付け具は以下のような課題を有する。
１）水平に取り付けたい場合に手間がかかる。
図５（ｂ）のような場合、天井から吊るし具（例えば、ピクチャーレール５２１）を設置するため大掛かりである。
図５（ｃ）、（ｄ）のような場合、壁面に止め具５３２、引っかかり５４１を直接固定する。止め具５３２等を水平に壁面に設置することは容易ではないため、作品を水平に設置することも容易ではない。
【０００５】
２）前面（絵画・写真など）のみを飾りたい場合に、紐など固定具が目立つ。
図５（ａ）のような場合、紐５１１のようにしっかり張ることができれば、紐５１１は作品の背面に隠れる。しかし、紐５１２のようにゆるみがあると、紐５１２、引っ掛かり５１３は作品の上部から露出してしまう。
図５（ｂ）のような場合、吊るし具（例えば、ピクチャーレール５２１）が露出する。ただし、作品をピアノ線５２２などで吊るし、作品と吊るし具との距離を大きくとることによって、吊るし具を目立たなくすることもできる。
図５（ｃ）のような場合、止め具５３２が金具の場合が多く、目立ってしまう。
【０００６】
３）ひし形や丸型など特殊な形状の作品を飾る場合にうまく設置ができない。
図５（ａ）、（ｅ）のような場合、支持点（平衡になる点）により掛けることで固定するため、重心が取りづらい。
図５（ｂ）、（ｃ）、（ｄ）のような場合、固定具の設置方法により可能だが、支持点が出しづらく工夫が必要となる。
【課題を解決するための手段】
【０００７】
上記課題を解決するため、本発明の第１の特徴は、壁掛け支持具であって、
円形の開口部を有する平面部と、
第１の脚部と、
第２の脚部と、
を備え、
第１の脚部の高さと第２の脚部の高さとがほぼ等しい、ことにある。
【０００８】
また、本発明の第２の特徴は、壁掛けフレームであって、
第１のパネルと、
第１の特徴を具備する壁掛け支持具が背面に取り付けられた第２のパネルと、
を備え、
第１のパネルと第２のパネルとが着脱可能である、ことにある。
【発明の効果】
【０００９】
従来は、壁面に固定する際に、器具側（例えば、木製パネルなど）及び固定具（例えば、壁面に取り付けるための釘など）の双方の水平を取ることが難しかったが、本発明によれば、簡単に水平に固定することが可能となる。
本発明においては、円形の開口部を有する支持具と支持体（釘など）のみで支持し、かつ円形の開口部を有する支持具はパネルの裏面（背面）に構成され、余分な器具（紐など）を必要としない。このため、パネルの前面から、パネルに固定された写真などを鑑賞する鑑賞者の視界に、余分な器具（紐など）は入らない。
支持対象物が長方形以外の特殊な形状の場合であっても、支持対象物は任意の角度に固定されるため写真などの支持対象物の掲示が容易となる。
支持具は形状に特徴があり、その形状は固定具の材質に依存しないため応用範囲が広い。具体的には、木製パネル・アクリルフレーム・液晶パネルなどの機械器具の支持具として適用できる。
【図面の簡単な説明】
【００１０】
【図１】本発明の壁掛け支持具を説明するための図。
【図２】本発明における円形の開口部と支持体（例えば、釘など）との関係について説明するための図。
【図３】本発明の壁掛けフレームを説明するための図。
【図４】本発明の壁掛けフレームが任意の角度で停止可能であることを説明するための図。
【図５】従来の壁掛け支持具、壁掛けフレームを説明するための図。
【図６】本発明の壁掛けフレームの写真である。
【発明を実施するための形態】
【００１１】
以下、図面に基づいて本発明の壁掛け支持具及び壁掛けフレームの実施形態について説明する。
図１に示すように、本発明の壁掛け支持具１０は、円形の開口部１１を有する平面部１２と、第１の脚部１３と、第２の脚部１４と、を備える。
【００１２】
平面部１２、第１の脚部１３、第２の脚部１４の材質は特に制限されず、例えば木やアクリルなどとすることができる。
開口部１１の大きさは特に制限されず、支持対象物に合わせた適度な大きさとすることができる。例えば、支持対象物の形状が長方形で、大きさが縦２１．０ｃｍ〜２９．７ｃｍ、横２９．７〜４２．０ｃｍの場合、円形の開口部１１の直径は６．０ｃｍ程度が好ましい。
また、平面部１２の厚さｔは３ｍｍ程度が好ましい。
第１の脚部の高さｈ１と第２の脚部の高さｈ２とはほぼ等しい。
第１の脚部の高さｈ１と第２の脚部の高さは５ｍｍ程度が好ましい。
円形の開口部１１の直径、平面部１２の厚さｔ、第１の脚部の高さｈ１、第２の脚部の高さｈ２は、用途に合わせて適宜調整する。
例えば、後述する（図３（ｅ）に示す）木製パネルの場合、一般的な規格サイズの木製パネルの内法高さ（２ｃｍ〜３ｃｍ）と、（平面部１２の厚さｔ＋第１の脚部の高さｈ１）の値、及び（平面部１２の厚さｔ＋第２の脚部の高さｈ２）の値をほぼ等しくすることによって、壁面から浮くことなく木製パネルを固定することが可能となる。
【００１３】
図２に基づいて、円形の開口部と支持体（例えば、釘など）との関係について説明する。図２（ａ）は支持体が１本の場合を示し、図２（ｂ）は支持体が２本の場合を示す。
図２（ａ）に示すように、支持体１５が１本だけ存在する場合は、円形の開口部１１の縁を支持体１５に掛けることで支持点（支持対象物が平衡になる点）が自然に取れる（必然的に決まる）。
図２（ｂ）に示すように、支持体１６、１７が２本存在する場合は、円形の開口部１１の縁を支持体１６、１７に掛け、支持対象物を掲示する角度θを所望の角度に設定して手を離せば、支持対象物はその角度で支持される（止まる）。支持体１６と支持体１７が水平に設置されている必要は無い。つまり、２点の固定点（２本の支持体）を用いることで掲示する角度を決めれば必ず求める位置で固定される（外部から力を加えない限り停止し続ける）ため、水平及び掲示したい任意の角度に容易に設定できる（ただし、支持対象物の重心が過度に偏っている場合を除く）。
【００１４】
図３に基づいて、本発明の壁掛けフレームの実施形態について説明する。
図３に示す壁掛けフレームは、
第１のパネル３１と、
図１に示した壁掛け支持具１０が背面に取り付けられた第２のパネル３２と、
を備え、
第１のパネル３１と第２のパネル３２とが着脱可能である。
第１のパネル３１と第２のパネル３２とを着脱可能とする手段としては、例えば、アクリル製のネジなどを採用することができる。
【００１５】
図３（ａ）及び図３（ｂ）は、第１のパネル３１と第２のパネル３２との間に、何も挟み込んでいない状態であって、図３（ａ）は正面から見た図、図３（ｂ）は背面から見た図を示す。
図３（ｃ）及び図３（ｄ）は、第１のパネル３１と第２のパネル３２との間に、絵、写真などの作品３３を挟み込んだ状態であって、図３（ｃ）は正面から見た図、図３（ｄ）は背面から見た図を示す。同図に示す例では、第１のパネル３１及び第２のパネル３２として透明なアクリルパネルを採用している。図３（ｃ）に示すように、裏面（背面）に固定される支持具１０は、作品３３によって隠されるため、前面（正面）からは見えない。
図３（ｅ）は第２のパネル３２として木質パネルを採用し、背面から見た図を示している。
【００１６】
図４に基づいて、本発明の壁掛けフレームが任意の角度で停止可能であることを説明する。
図４（ａ）〜（ｆ）は第１のパネル３１と第２のパネル３２との間に、絵、写真などの作品３３を挟み込んだ状態であって、図４（ａ）は正面から見た図、図４（ｂ）は図４（ａ）を背面から見た図を示す。図４（ｃ）は図４（ａ）を９０度回転させたものを正面から見た図、図４（ｄ）は図４（ｃ）を背面から見た図を示す。図４（ｅ）は図４（ａ）を時計回りに４５度回転させたものを正面から見た図、図４（ｆ）は図４（ｅ）を背面から見た図を示す。
図４（ａ）〜（ｆ）に示すように、本発明の壁掛けフレームは任意の角度で停止可能である。
【実施例】
【００１７】
縦１０ｃｍ＊横１０ｃｍの平面部１２に直径６ｃｍの円形の開口部１１を設けた（図１）。
また、平面部１２の厚さｔは３ｍｍとし、取り付け面からの高さ（第１の脚部の高さｈ１及び第２の脚部の高さｈ２）は５ｍｍとして、壁面に掛けることを可能とした（図１）。
図６（ａ）にアクリルフレーム取り付け例を示し、図６（ｂ）〜（ｃ）にアクリルフレームに作品を取り付け掲示した例を示す。
【００１８】
図３（ａ），（ｂ）に示したように、支持体が１つ（支持体１５）であってもパネルは簡単に水平が取れる（容易に水平な状態で停止させることができる）。
また、図４（ａ）〜（ｆ）に示したように、支持体が２つ（支持体１６，１７）であってもパネルは容易に水平な状態（図２（ｂ）でθ＝０）で停止させることができる。２つの支持体（支持体１６，１７）は水平に設置されている必要は無い。
【００１９】
また、図４（ａ）〜（ｆ）に示したように、支持体が２つ（支持体１６，１７）の場合、任意の角度（図２（ｂ）でθ＝０から３６０度）で壁掛けフレームを停止させることができる。２つの支持体（支持体１６，１７）は水平に設置されている必要は無い。
図３（ｃ）に示したように、支持具（固定具）は作品３３によって隠され、作品鑑賞者の視界には入らない。
【００２０】
図６は、本発明の壁掛けフレームの写真であって、（ａ）は裏面から撮影したもの（投影図、斜視図）、（ｂ）は横長の状態で壁に掛けて停止させたものを正面から撮影したもの、（ｃ）は縦長の状態で壁に掛けて停止させたものを正面から撮影したものである。
図６（ｂ），（ｃ）に示すように、横長の状態（θ＝０）、縦長の状態（θ＝９０）のいずれでも停止させることができ、また、支持具（固定具）は作品によって隠され、作品鑑賞者の視界には入らない。
【符号の説明】
【００２１】
１０  壁掛け支持具
１１  開口部
１２  平面部
１３  第１の脚部
１４  第２の脚部
１５，１６，１７  支持体
３１  第１のパネル
３２  第２のパネル
３３  作品
【図１】
2013039291.tif 000003
【図２】
2013039291.tif 000004
【図５】
2013039291.tif 000005
【図３】
2013039291.tif 000006
【図４】
2013039291.tif 000007
【図６】
2013039291.tif 000008